(57)【特許請求の範囲】
【請求項１】
前端縁部とその後方のボール受け座とにより前端にボールを回転可能に抱持したボールペンチップと、前記ボールを前方に付勢し且つ前記ボールを前端縁部の内面に密接させる弾発体と、前記弾発体の後端を支持する弾発体支持部材と、前記ボールペンチップの後端部が取り付けられるインキ収容筒とを備えたボールペンであって、前記インキ収容筒の前端開口部に、前記ボールペンチップと前記弾発体支持部材とを圧入し、前記ボールペンチップの後端と前記弾発体支持部材の前端とを前後に当接させ、前記弾発体支持部材が、内部に前後方向にインキ通孔が貫設された筒状体からなり、前記弾発体支持部材の前端に、径方向に貫通する溝を形成したことを特徴とするボールペン。
【発明の詳細な説明】
【技術分野】
【０００１】
本発明は、ボールペンに関する。
【背景技術】
【０００２】
従来、この種のボールペンにおいて、例えば、特許文献１には、チップ本体の先端内部に転写ボールを回転可能に抱持させ、該転写ボールをスプリングにて前方に付勢せしめて内向き先端縁に接触させてなる筆記具用チップに於いて、チップ本体の後端内部に、液導入孔を有する流量調節部材を配設し、該流量調節部材にスプリングの後端を衝合係止せしめてなる筆記具用チップが開示されている。
【先行技術文献】
【特許文献】
【０００３】
【特許文献１】特開平１０−３２９４７６号公報
【発明の概要】
【発明が解決しようとする課題】
【０００４】
前記従来のボールペンは、流量調節部材の寸法ばらつきや流量調節部材の組立ばらつきによって、流量調節部材の前端の位置がばらつき、その結果、スプリングの弾発力が大きくばらつくおそれがある。もし、スプリングの弾発力が過剰に大きくなると、筆記感が損なわれるおそれがある。また、もし、スプリングの弾発力が過剰に小さくなると、ボールと先端縁との密接が不十分になり、チップの先端からインキ漏出や空気浸入が生じたりするおそれがある。
【０００５】
本発明は前記従来の問題点を解決するものであって、ボールを前方に付勢する弾発体の弾発力をばらつきのない適正な値に設定できるボールペンを提供しようとするものである。
【課題を解決するための手段】
【０００６】
本願発明は、前端縁部２２とその後方のボール受け座２３とにより前端にボール２１を回転可能に抱持したボールペンチップ２と、前記ボール２１を前方に付勢し且つ前記ボール２１を前端縁部２２の内面に密接させる弾発体３と、前記弾発体３の後端を支持する弾発体支持部材４と、前記ボールペンチップ２の後端部が取り付けられるインキ収容筒５とを備えたボールペンであって、前記インキ収容筒５の前端開口部に、前記ボールペンチップ２と前記弾発体支持部材４とを圧入し、前記ボールペンチップ２の後端と前記弾発体支持部材４の前端とを前後に当接させ、前記弾発体支持部材４が、内部に前後方向にインキ通孔４１が貫設された筒状体からなり、前記弾発体支持部材４の前端に、径方向に貫通する溝４２を形成したことを要件とする。
【０００７】
前記本願発明のボールペン１は、インキ収容筒５の前端開口部に、前記ボールペンチップ２と前記弾発体支持部材４とを圧入し、前記ボールペンチップ２の後端と前記弾発体支持部材４の前端とを前後に当接させたことにより、弾発体支持部材４の寸法ばらつきや組立ばらつきが生じたとしても、弾発体支持部材４の前端をボールペンチップ２の後端に常に位置させることができる。その結果、弾発体３の弾発力をばらつきのない適正な値に設定できる。
【０００８】
【０００９】
前記本願発明のボールペン１は、前記弾発体支持部材４が、内部に前後方向にインキ通孔４１が貫設された筒状体からなり、前記弾発体支持部材４の前端に、径方向に貫通する溝４２を形成したことにより、インキ充填後のインキ内の内部の気泡を除去する遠心脱泡処理の際、気泡が弾発体３の後端部に残留することを回避できる。
【００１０】
【００１１】
【発明の効果】
【００１２】
本発明のボールペンは、弾発体支持部材の寸法ばらつきや組立ばらつきが生じたとしても、弾発体支持部材の前端をボールペンチップの後端に常に位置させることができ、弾発体の弾発力をばらつきのない適正な値に設定できる。
【００１３】
【図面の簡単な説明】
【００１４】
【図１】本発明の実施の形態のボールペンの縦断面図である。
【図２】図１のＡ−Ａ線拡大断面図である。
【図３】図１のボールペンの組立方法を示す縦断面図である。
【発明を実施するための形態】
【００１５】
図１乃至図３に本発明の実施の形態を示す。
本実施の形態のボールペン１は、ボールペンチップ２と、該ボールペンチップ２の後端部が圧入されるインキ収容筒５と、前記ボールペンチップ２内に収容され且つ前記ボールペンチップ２前端のボール２１を前方に付勢する弾発体３と、前記弾発体３の後端が当接され且つ前記インキ収容筒５に圧入される弾発体支持部材４とからなる。
【００１６】
前記インキ収容筒５内には、インキ５１（例えば水性ゲルインキ）と、該インキの消費に伴い前進する追従体５２（例えば高粘度流体）とが収容される。
【００１７】
前記ボールペンチップ２は、前端にボール２１を回転可能に抱持した金属製（例えばステンレス鋼製）の筒体からなる。前記ボールペンチップ２の内部には、切削加工により、前端部にボール抱持孔とボール受け座２３が形成され、その後方にインキ流通孔が形成される。前記ボール受け座２３が、軸方向に貫通する中心孔と、該中心孔に連通し且つ軸方向に貫通しない複数のインキ流通溝を備える。前記インキ流通溝は中心孔より放射状に形成される。
【００１８】
前記ボールペンチップ２の前端には、内方への押圧変形（カシメ変形）により内向きの前端縁部２２が形成される。前記前端縁部２２とボール受け座２３とによって、ボール抱持孔内においてボール２１が回転可能且つ前後に移動可能に抱持される。前記インキ流通孔の前端部内面には、複数の傾斜状内面が形成される。前記インキ流通孔に弾発体３が収容される。
【００１９】
前記弾発体３は、前部のロッド部３１と、後部のコイル部３２とが一体に連設されてなる。前記弾発体３は、ステンレス鋼製線材により形成される。前記弾発体３のコイル部３２の後端部は、隣接する線材同士が密接する密着巻部３２ａが形成される。
【００２０】
前記弾発体３は、ボールペンチップ２内部に後端開口部より挿入される。前記弾発体３のロッド部３１が、前記ボール受け座２３の中心孔に適正に挿入され、前記ロッド部３１の前端が、ボール２１背面に当接し、ボール２１を前方に付勢する。
【００２１】
・弾発体支持部材
前記弾発体支持部材４は、内部に前後方向にインキ通孔４１が貫設された筒状体からなる。前記弾発体支持部材４の前端に、径方向に貫通する溝４２が形成される。前記弾発体支持部材４の後端部外面には傾斜面状のテーパ部４３が形成され、それにより、前記弾発体支持部材４をインキ収容筒５内に引っ掛かりのなくスムーズに圧入することができる。
【００２２】
・組立方法
図３に本実施の形態のボールペンの製造方法（組立過程）を示す。
予め、ボールペンチップ２内には、弾発体３が仮挿入される。このとき、弾発体３の後端部（密着巻部３２ａの一部）がボールペンチップ２の後端より後方に突出される。一方、インキ収容筒５の前端開口部には、弾発体支持部材４が仮圧入される。このとき、弾発体支持部材４の前端がボールペンチップ２の前端より前方に突出される。
【００２３】
次に、前記状態（弾発体３が仮挿入状態、弾発体支持部材４を仮圧入状態）から、ボールペンチップ２の後端及び弾発体３の後端を、弾発体支持部材４の前端に当接させる。
【００２４】
そして、前記ボールペンチップ２の後端及び弾発体３の後端と、弾発体支持部材４の前端との当接状態を維持させながら、ボールペンチップ２の後端で弾発体支持部材４を後方に押圧し、ボールペンチップ２の後端部をインキ収容筒５の前端開口部に圧入する。それにより、弾発体支持部材４の前端に、ボールペンチップ２の後端及び弾発体３の後端が当接された図１に示すボールペンを得る。
【００２５】
本実施の形態のボールペン１は、インキ収容筒５の前端開口部に、前記ボールペンチップ２と前記弾発体支持部材４とを圧入し、前記ボールペンチップ２の後端と前記弾発体支持部材４の前端とを前後に当接させたことにより、弾発体支持部材４の寸法ばらつきや組立ばらつきが生じたとしても、弾発体支持部材４の前端をボールペンチップ２の後端に常に位置させることができる。その結果、弾発体３の弾発力をばらつきのない適正な値に設定できる。
【００２６】
本実施の形態のボールペン１は、前記弾発体支持部材４が、内部に前後方向にインキ通孔４１が貫設された筒状体からなり、前記弾発体支持部材４の前端に、径方向に貫通する溝４２を形成したことにより、インキ充填後のインキ内の内部の気泡を除去する遠心脱泡処理の際、気泡が弾発体３の後端部に残留することを回避できる。
【００２７】
本実施の形態のボールペンの製造方法は、前記ボールペンチップの後端及び前記弾発体３の後端を前記弾発体支持部材４の前端に当接させながら前記ボールペンチップ２の後端部を前記インキ収容筒５の前端開口部に圧入してなることにより、弾発体支持部材４の寸法ばらつきや組立ばらつきが生じたとしても、弾発体支持部材４の前端をボールペンチップ２の後端に常に位置させることができる。その結果、弾発体３の弾発力をばらつきのない適正な値に設定できる。
【符号の説明】
【００２８】
１  ボールペン
２  ボールペンチップ
２１  ボール
２２  前端縁部
２３  ボール受け座
３  弾発体
３１  ロッド部
３２  コイル部
３２ａ  密着巻部
４  弾発体支持部材
４１  インキ通孔
４２  溝
４３  テーパ部
５  インキ収容筒
５１  インキ
５２  追従体
【図１】
0005694736.tif 000002
【図２】
0005694736.tif 000003
【図３】
0005694736.tif 000004